(57)【要約】【課題】ロッカーアームにおいて、カムとカムフォロワの摺接面への潤滑油供給を効率化する技術を提供する。【解決手段】本発明は、内燃機関の支持部に支持され、カムによって遥動駆動されるロッカーアームを提供する。このロッカーアームは、カムと摺接することによって力点として機能する第１の摺接面を有するカムフォロワ部を有するロッカーアーム本体と、支持部に対して遥動可能に摺接することによって支点として機能する第２の摺接面を有する支点部と、支点部から供給された潤滑油を第１の摺接面の方向に偏向して、潤滑油を吐出する機能を有する潤滑油吐出ノズルと、を備える。支点部は、ロッカーアーム本体の第２の摺接面を有する側の面から第１の摺接面を有する側の面に貫通してロッカーアーム本体に締結され、第２の摺接面に供給された潤滑油をロッカーアーム本体を貫通して潤滑油吐出ノズルに供給する貫通孔を有する。【選択図】図１０
2010281334.tif 000002
【特許請求の範囲】
【請求項１】
内燃機関の支持部に遥動可能に支持され、カムによって遥動駆動されるロッカーアームであって、
前記カムと摺接することによって力点として機能する第１の摺接面を有するカムフォロワ部を有するロッカーアーム本体と、
前記支持部に対して遥動可能に摺接することによって支点として機能する第２の摺接面を有する支点部と、
前記支点部から供給された潤滑油を前記第１の摺接面の方向に偏向して、前記潤滑油を吐出する機能を有する潤滑油吐出ノズルと、
を備え、
前記支点部は、前記ロッカーアーム本体の前記第２の摺接面を有する側の面から前記第１の摺接面を有する側の面に貫通して前記ロッカーアーム本体に締結されているとともに、前記貫通位置において前記第２の摺接面に供給された潤滑油を前記ロッカーアーム本体を貫通して前記潤滑油吐出ノズルに供給する貫通孔を有するロッカーアーム。
【請求項２】
請求項１記載のロッカーアームであって、
前記ロッカーアーム本体は、塑性加工によって製造されているロッカーアーム。
【請求項３】
請求項１または２に記載のロッカーアームであって、
前記潤滑油吐出ノズルは、前記潤滑油吐出ノズルに形成された凹凸形状と、前記支点部に形成された凹凸形状とによって、前記ロッカーアーム本体に対して任意の方向で係合するロッカーアーム。
【請求項４】
請求項１ないし３のいずれか一項に記載のロッカーアームであって、
前記貫通孔は、前記潤滑油吐出ノズルに向かって狭くなる少なくとも一段の階段形状を有し、
前記潤滑油吐出ノズルは、前記階段形状に嵌合する形状を有するとともに、前記階段形状のうち最も内径の小さな部分を通過可能となる大きさに弾性変形可能であって、前記貫通孔に連通する孔が形成されているロッカーアーム。
【請求項５】
請求項１ないし４のいずれか一項に記載のロッカーアームであって、
前記潤滑油吐出ノズルは、前記ロッカーアーム本体に対する方向を位置決めするフランジ部を有するロッカーアーム。
【請求項６】
請求項５記載のロッカーアームであって、
前記フランジ部は、前記ロッカーアーム本体の外形の所定位置に合致する形状を有するロッカーアーム。
【発明の詳細な説明】
【技術分野】
【０００１】
本発明は、内燃機関のロッカーアームに関する。
【背景技術】
【０００２】
従来は、内燃機関の動弁機構に使用されるロッカーアームは、鍛造品や鋳造品として製造されることが一般的であったが、近年においては、内燃機関の高速回転化、高出力化に伴い慣性重量の低減の要請が大きくなったために、たとえば特許文献１のように、軽量化を目的としてロッカーアームを塑性加工（たとえばプレス加工）により製造する技術が提案されている。
【０００３】
ところが、プレス加工で製造されたロッカーアームは、高精度の穴あけ加工が困難なためカムとカムフォロワの摺接面に潤滑油を導く油路を実現することは困難であると考えられていた。このため、このようなロッカーアームを使用する場合には、ロッカーアームを経由しないで、ロッカーアーム外の別の経路（たとえばいわゆるシャワー流路）で潤滑油を導く方法が提案されていた。
【０００４】
しかし、シャワー流路その他の別経路を設置するでは、別経路の設置に伴う内燃機関の容積や重量の増大といった問題を生じさせていた。一方、別経路からの潤滑油の供給は、ロッカーアームからそれ自身への潤滑油の供給に比較して遠くからの供給となるため、カムとカムフォロワの摺接面に効率的に潤滑油を供給することが困難であることが発明者によって見出された。さらに、プレス加工で製造されたロッカーアームに限られず、たとえば近年のＶ型エンジンの普及に伴うカムシャフト数の増大や多バルブ化に起因するカムシャフトの負担増大にしたがって潤滑油供給の効率化の要請が高まっている。
【先行技術文献】
【特許文献】
【０００５】
【特許文献１】特開２００７−０５６６９０号公報
【発明の概要】
【発明が解決しようとする課題】
【０００６】
本発明は、上述の従来の課題の少なくとも一部を解決するためになされたものであり、ロッカーアームにおいて、カムとカムフォロワの摺接面への潤滑油供給を効率化する技術を提供することを目的とする。
【課題を解決するための手段】
【０００７】
[適用例１]
内燃機関の支持部に遥動可能に支持され、カムによって遥動駆動されるロッカーアームであって、
前記カムと摺接することによって力点として機能する第１の摺接面を有するカムフォロワ部を有するロッカーアーム本体と、
前記支持部に対して遥動可能に摺接することによって支点として機能する第２の摺接面を有する支点部と、
前記支点部から供給された潤滑油を前記第１の摺接面の方向に偏向して、前記潤滑油を吐出する機能を有する潤滑油吐出ノズルと、
を備え、
前記支点部は、前記ロッカーアーム本体の前記第２の摺接面を有する側の面から前記第１の摺接面を有する側の面に貫通して前記ロッカーアーム本体に締結されているとともに、前記貫通位置において前記第２の摺接面に供給された潤滑油を前記ロッカーアーム本体を貫通して前記潤滑油吐出ノズルに供給する貫通孔を有するロッカーアーム。
【０００８】
適用例１のロッカーアームは、支点として機能する第２の摺接面に供給された潤滑油を、支点部に形成された貫通孔を経由することによってロッカーアーム本体を貫通して力点として機能する第１の摺接面を有する側に導く油路を有する。この油路によって供給された潤滑油は、さらに単体で潤滑油を吐出する機能を有する潤滑油吐出ノズルによって第１の摺接面の方向に偏向して吐出されるので、ロッカーアーム本体の内部に油路を形成することなく、第２の摺接面に供給された潤滑油をロッカーアーム本体を貫通して供給することができる。
【０００９】
このように、適用例１のロッカーアームでは、ロッカーアーム本体の内部に油路を形成する必要性が排除されることによって、効率的な潤滑油の供給が簡易に実現することができるという利点を有している。この利点は、以下の少なくとも一つの観点から重要な意義を有することが分かる。（１）ロッカーアーム本体を貫通するとともに第１の摺接面の方向に効率的に潤滑油を供給する油路の形成が精密切削加工を要する、（２）油路の形成位置の確保のためにロッカーアーム本体の形状が制限される（たとえば過度の肉厚が要求される）、（３）ロッカーアームを板金塑性加工によって製造する場合には、上記のいずれもが困難となるので、ロッカーアーム本体の製造に塑性加工が利用できない。
【００１０】
なお、板金ロッカーアーム本体を貫通する油路が要求されるのは、潤滑油の供給を最も必要とするのがカムからの周期荷重を受ける力点として機能する第１の摺接面であるのに対して、内燃機関（たとえばシリンダヘッド）からロッカーアームへの潤滑油の供給箇所が継続的にシリンダヘッドと接触を有し、力点からの周期荷重に対して力点として支える機能する第２の摺接面とならざるを得ないからである。すなわち、板金ロッカーアーム本体の力点への潤滑油の供給を、この力点に加えられた荷重に対する抗力を反対側から発生させる支点から供給しなければならないからである。
【００１１】
また、「第１の摺接面の方向に偏向」とは、貫通孔から供給された潤滑油の流れる方向が貫通孔による供給方向よりも第１の摺接面の方向に近づけばよく、必ずしも第１の摺接面の方向に一致する必要は無い。
【００１２】
[適用例２]
適用例１のロッカーアームであって、
前記ロッカーアーム本体は、塑性加工によって製造されているロッカーアーム。
【００１３】
適用例２のロッカーアームでは、前記ロッカーアーム本体は、塑性加工によって製造されるので生産性を顕著に向上させることができる。
【００１４】
[適用例３]
適用例１または２のロッカーアームであって、
前記潤滑油吐出ノズルは、前記潤滑油吐出ノズルに形成された凹凸形状と、前記支点部に形成された凹凸形状とによって、前記ロッカーアーム本体に対して任意の方向で係合するロッカーアーム。
【００１５】
適用例３のロッカーアームは、前記潤滑油吐出ノズルに形成された凹凸形状と、前記支点部に形成された凹凸形状とによって、前記潤滑油吐出ノズルが前記ロッカーアーム本体に対して任意の方向で係合するので、前記潤滑油吐出ノズルを第１の摺接面の方向に向けた状態に簡易に装着することができる。
【００１６】
なお、潤滑油吐出ノズルに形成された凹凸形状は、実施例では、「つめ部１６０ｃ」に相当する。支点部に形成された凹凸形状は、実施例では、「支点ボルト１２０ａのねじ山」に相当する。ただし、実施例に凹凸は、実施例に限定されるものではなく、凹と凸が入れ替わっても良い。
【００１７】
[適用例４]
適用例１ないし３のロッカーアームであって、
前記貫通孔は、前記潤滑油吐出ノズルに向かって狭くなる少なくとも一段の階段形状を有し、
前記潤滑油吐出ノズルは、前記階段形状に嵌合する形状を有するとともに、前記階段形状のうち最も内径の小さな部分を通過可能となる大きさに弾性変形可能であって、前記貫通孔に連通する孔が形成されているロッカーアーム。
【００１８】
適用例４のロッカーアームは、潤滑油の供給圧力が高くなると係合力が増す性質を有するので、潤滑油吐出ノズルの剛性や機械的強度の要求水準を比較的に低下させることができるので、部品の小型化や軽量化が可能という利点を有する。
【００１９】
[適用例５]
適用例１ないし４のいずれかのロッカーアームであって、
前記潤滑油吐出ノズルは、前記ロッカーアーム本体に対する方向を位置決めするフランジ部を有するロッカーアーム。
【００２０】
[適用例６]
適用例５のロッカーアームであって、
前記フランジ部は、前記ロッカーアーム本体の外形の所定位置に合致する形状を有するロッカーアーム。
【００２１】
なお、本発明は、上記以外の種々の形態で実現可能であり、たとえば、ロッカーアームの製造方法やロッカーアームを有する内燃機関、あるいは、このような内燃機関を備える自動車などの形態で実現することが可能である。
【発明の効果】
【００２２】
本発明は、ロッカーアームにおいて、カムとカムフォロワの摺接面への潤滑油供給を効率化する技術を提供することができる。
【図面の簡単な説明】
【００２３】
【図１】第１参考例のロッカーアームを備える動弁機構１０を示す説明図。
【図２】第１参考例のロッカーアーム１００の外観を示す斜視図。
【図３】第１参考例の板金ロッカーアーム本体１１０への潤滑油の供給経路を示す説明図。
【図４】第１参考例のロッカーアーム１００を側面方向から見た側面図。
【図５】第１参考例のロッカーアーム１００における潤滑油の供給経路を示す説明図。
【図６】第１参考例のロッカーアーム１００における潤滑油の供給状態を示す説明図。
【図７】第２参考例のロッカーアーム１００ａを側面方向から見た断面図。
【図８】第２参考例のロッカーアーム１００ａにおける潤滑油の供給経路を示す説明図。
【図９】第２参考例のロッカーアーム１００ａにおける潤滑油の供給状態を示す説明図。
【図１０】第１実施例のロッカーアーム１００ｂを側面方向から見た断面図。
【図１１】第１実施例のロッカーアーム１００ｂの潤滑油吐出ノズル１６０の外観を示す斜視図。
【図１２】第１実施例のロッカーアーム１００ｂにおける潤滑油の供給経路と潤滑油吐出ノズル１６０の装着状態を示す説明図。
【図１３】第１実施例の第１変形例のロッカーアーム１００ｃを側面方向から見た断面図。
【図１４】第１実施例の第２変形例の潤滑油吐出ノズル１６０ａを側面方向から見た断面図。
【図１５】第２変形例の潤滑油吐出ノズル１６０ａを上方向から見た正面図。
【図１６】第１実施例の第３変形例の潤滑油吐出ノズル１６０ｂを側面方向から見た断面図。
【図１７】第１実施例の第４変形例の潤滑油吐出ノズル１７０を側面方向から見た断面図。
【発明を実施するための形態】
【００２４】
次に、本発明の実施の形態を参考例および実施例に基づいて以下の順序で説明する。
Ａ．動弁機構の構成：
Ｂ．本発明に関連する第1参考例のロッカーアームの構成：
Ｃ．本発明に関連する第２参考例のロッカーアームの構成：
Ｄ．本発明に係る第1実施例のロッカーアームの構成：
Ｅ．変形例：
【００２５】
Ａ．動弁機構の構成：
図１は、本発明に関連する第1参考例のロッカーアームを備える動弁機構１０を示す説明図である。動弁機構１０は、バルブ機構３００と、バルブ機構３００を駆動するロッカーアーム１００と、ロッカーアーム１００を遥動駆動するカムシャフト４００と、支持部材２１０と、シリンダヘッド２２０とを備えている。図１では、Ｘ軸方向およびＺ軸方向が水平方向を示し、Ｙ軸方向が上下方向を示している。
【００２６】
シリンダヘッド２２０には、支持部材２１０およびバルブ機構３００が装着されている。バルブ機構３００は、燃焼室の開口部（図示せず）を開閉するバルブ３１０と、バルブ３１０を閉弁方向に付勢するバルブスプリング３２０とを備える。カムシャフト４００には、軸部４２０とカム４１０とが形成されている。支持部材２１０は、シリンダヘッド２２０に螺合（図示せず）され、ロッカーアーム１００の支点としてロッカーアーム１００を遥動可能に支持する。ロッカーアーム１００の遥動機構と、その潤滑油供給機構については後述する。
【００２７】
Ｂ．第1参考例のロッカーアームの構成：
図２は、第1参考例のロッカーアーム１００の外観を示す斜視図である。ロッカーアーム１００は、プレス加工（塑性加工）によって形成された板金ロッカーアーム本体１１０と、カム４１０と摺接するカムフォロワ（力点）として機能するローラ１４０と、支持部材２１０の凹部（後述）に摺接してロッカーアーム１００を遥動可能に支持する支点ボルト１２０と、支点ボルト１２０を板金ロッカーアーム本体１１０に締結するナット１３０とを備えている。板金ロッカーアーム本体１１０には、溝部１１０ｈが形成されている。ナット１３０には、フランジ１３０Ｆが備えられている。溝部１１０ｈおよびフランジ１３０Ｆの機能については後述する。
【００２８】
板金ロッカーアーム本体１１０がプレス加工によって形成されているのは、軽量化と生産効率の向上のためである。従来は、内燃機関の動弁機構に使用されるロッカーアームは、鍛造品や鋳造品を切削加工して製造されることが多かったが、内燃機関の高速回転化、高出力化に伴い慣性重量の低減の要請が大きくなったために、たとえば特開２００７−０５６６９０号公報で提案されるように、プレス加工により製造する技術が提案されている。さらに、プレス加工は、鋳造工程と切削加工工程の双方の工程を要する鍛造品や鋳造品と相違し、板金をプレス機械で塑性加工して製造するので生産性が高く、連続加工も可能なのでロッカーアームのように大量生産される製品に好適である。
【００２９】
図３は、第1参考例の板金ロッカーアーム本体１１０への潤滑油の供給経路を示す説明図である。潤滑油は、シリンダヘッド２２０の内部にＺ軸方向に形成された潤滑油分配孔２２０ｈ１を介して複数の板金ロッカーアーム本体１１０の各々（図示省略）に分配される。潤滑油分配孔２２０ｈ１から分配された潤滑油は、Ｙ軸方向に形成された潤滑油供給孔２２０ｈ２を介して、支持部材２１０に形成された潤滑油供給孔２１０ｈ１に導かれ、潤滑油供給室２１０ｈ２に供給される。
【００３０】
このようにして潤滑油供給室２１０ｈ２に供給された潤滑油は、支点ボルト１２０と支持部材２１０との間の摺接面に油膜を形成する。この油膜は、支点ボルト１２０と支持部材２１０の直接的な接触を抑制して摺動摩擦を低減させる役割を果たす。
【００３１】
次に、潤滑油供給室２１０ｈ２に供給された潤滑油は、支点ボルト１２０に形成された貫通孔１２０ｈと溝部１１０ｈとを介して、カム４１０とローラ１４０との間の摺接面に供給され、油膜を形成する。
【００３２】
図４および図５は、第1参考例のロッカーアーム１００における潤滑油の供給経路を示す説明図である。図４は、第1参考例のロッカーアーム１００を側面方向から見た側面図である。この図から分かるように、ナット１３０およびフランジ１３０Ｆと板金ロッカーアーム本体１１０に形成された溝部１１０ｈとの合わせ面に潤滑油を吐出する潤滑油吐出孔１１０ｊが形成されている。潤滑油吐出孔１１０ｊは、貫通孔１２０ｈと連通している。
【００３３】
ナット１３０にフランジ１３０Ｆを形成することによって、潤滑油吐出孔１１０ｊを延長させているのは、貫通孔１２０ｈと潤滑油吐出孔１１０ｊとの連通部分における曲がり部で発生する乱流を抑制し、これにより潤滑油の吐出ベクトルを吐出方向に揃えて層流化することができるからである。
【００３４】
ナット１３０およびフランジ１３０Ｆとともに潤滑油吐出孔１１０ｊを形成する溝部１１０ｈは、板金ロッカーアーム本体１１０にプレス加工で形成された潤滑油滑走面１１０ｓの表面に形成されている。潤滑油滑走面１１０ｓは、潤滑油吐出孔１１０ｊで形成された射出ベクトルを有する潤滑油を滑走させることによって、この射出ベクトルをカム４１０とローラ１４０との間の摺接面の近傍まで維持させるような方向に形成された面である。
【００３５】
なお、潤滑油滑走面１１０ｓ、溝部１１０ｈ、潤滑油吐出孔１１０ｊ、ナット１３０、およびフランジ１３０Ｆは、以下のような関係を有する。フランジ１３０Ｆは、ナット１３０の一部を構成する。溝部１１０ｈは、潤滑油滑走面１１０ｓの一部を構成する。潤滑油吐出孔１１０ｊは、ナット１３０およびフランジ１３０Ｆと、溝部１１０ｈの一部とによって構成されている。よって、潤滑油吐出孔１１０ｊから吐出された潤滑油は、潤滑油滑走面１１０ｓの表面において、主として溝部１１０ｈ（潤滑油吐出孔１１０ｊを構成しない部分）に沿って滑走することになる。
【００３６】
潤滑油滑走面１１０ｓ上に潤滑油を滑走させることによって射出ベクトルの維持が可能なのは、以下のメカニズムが働くからである。すなわち、板金ロッカーアーム本体１１０の遥動運動によって、板金ロッカーアーム本体１１０が上昇中には潤滑油滑走面１１０ｓによって潤滑油が押し上げられるからである。一方、板金ロッカーアーム本体１１０が下降中には、ベルヌーイの定理によって潤滑油が潤滑油滑走面１１０ｓに吸引されるからである。特に、高速回転時においては、潤滑油の温度上昇によって粘性が低下し、かつ、潤滑油の流速が速くなるので、非圧縮性の潤滑油の定常流れとして潤滑油滑走面１１０ｓ上を滑走する潤滑油は、ベルヌーイの定理によって潤滑油滑走面１１０ｓに強く吸引されることになることが発明者によって見出された。
【００３７】
潤滑油滑走面１１０ｓは、さらに、板金ロッカーアーム本体１１０に形成された潤滑油誘導面１１０ｇに連続して形成されている。この機能については後述する。
【００３８】
図５は、ロッカーアーム１００の断面図Ｂ−Ｂと、ロッカーアーム１００を下方から見た底面図とを示している。断面図Ｂ−Ｂから分かるように、溝部１１０ｈは、貫通孔ではなくて、外部に接する溝として形成されている。このように、外部に接する溝として形成されているのは、プレス加工の一部として金型の形状の調整によって形成可能とするためである。
【００３９】
図６は、第1参考例のロッカーアーム１００における潤滑油の供給状態を示す説明図である。図６において黒塗りの矢印は潤滑油の流れを示し、カム４１０の矢印は回転方向を示している。ロッカーアーム１００は、内燃機関（図示せず）の始動時から高速回転時までの幅広い運転領域において適切に潤滑油を供給することができるように構成されている。
【００４０】
内燃機関（図示せず）の始動時においては、潤滑油の供給圧が小さいため矢印Ｖ２の方向に潤滑油が供給される。潤滑油の供給経路は、潤滑油滑走面１１０ｓに形成された溝部１１０ｈに沿って、潤滑油誘導面１１０ｇに供給される。潤滑油誘導面１１０ｇに供給された潤滑油は、表面張力と遠心力とによって潤滑油誘導面１１０ｇに沿ってカム４１０とローラ１４０との間の摺接面の近傍に近づく。潤滑油誘導面１１０ｇは、潤滑油を支点Ｐの位置から離すとともにカム４１０とローラ１４０との間の摺接面に近づけるような形状を有しているからである。
【００４１】
このように、潤滑油誘導面１１０ｇに供給された潤滑油は、ロッカーアーム１００の支点Ｐを中心とする回転動作（遥動動作）によって遠心力を含む慣性力によって、カム４１０とローラ１４０の比較的に広い面に潤滑油が分散して効果的に散布されることになる。
【００４２】
なお、潤滑油誘導面１１０ｇが形成されていないと、内燃機関（図示せず）の始動時においては、矢印Ｖ３の方向に潤滑油が落下してしまい、潤滑油が効果的に供給できないことが発明者によって見出された。このような現象は、内燃機関（図示せず）の始動時においては、（１）潤滑油の供給圧が低い、（２）潤滑油の温度が低く粘性が高い、（３）板金ロッカーアーム本体１１０の支点Ｐを中心とする回転動作（遥動動作）が低速、といった複数の要因が相乗的に絡むことによって発生していることが発明者の解析と実験とによって見出された。
【００４３】
一方、内燃機関（図示せず）の通常運転から高速運転時においては、ロッカーアーム１００は、矢印Ｖ１の方向において、カム４１０とローラ１４０とに大量の潤滑油を効果的に供給することができる。高速運転時において大量の潤滑油の供給が要請されるのは、カム４１０とローラ１４０とが高速で回転遥動するため、遠心力や慣性力でカム４１０やローラ１４０から潤滑油が飛散するからである。
【００４４】
このような状況において、潤滑油の効果的な供給は、本参考例では、（１）カム４１０とローラ１４０との間の摺接面の近傍に吐出するとともに、（２）カム４１０の表面と潤滑油の吐出方向のなす角度αを小さくすることによって実現されている。摺接面の近傍への吐出は、カム４１０やローラ１４０から潤滑油が飛散する前に摺接面に潤滑油を供給して油膜を形成することができるという効果を奏する。一方、カム４１０の表面と潤滑油の吐出方向のなす角度αを小さくする構成は、カム４１０の表面に高速で吐出された潤滑油の跳ね返りを抑制することができるという効果を奏する。
【００４５】
ロッカーアーム１００の遥動運動中における摺接面の近傍への吐出は、カム４１０の回転によるローラ１４０の上下運動に伴って、潤滑油吐出孔１１０ｊや潤滑油滑走面１１０ｓが傾斜することによって実現されている。すなわち、ロッカーアーム１００の遥動によって、たとえばローラ１４０が上方向に移動すると、潤滑油吐出孔１１０ｊや潤滑油滑走面１１０ｓが上向きに傾斜するので摺接面に潤滑油の吐出方向が追従することになる。
【００４６】
ただし、現実には、潤滑油が潤滑油滑走面１１０ｓから離れてカム４１０に到着するまでには、微小な時間が経過することになる。この時間の経過に起因する時間遅れは、潤滑油の吐出位置を摺接面近傍の狭い範囲で遥動させることになる。本願発明者は、このような時間遅れに起因する吐出位置の遥動範囲を潤滑油滑走面１１０ｓの長さを調節して、摺接面との距離を変化させることによって制御できることも見出した。
【００４７】
さらに、本願発明者は、ナット１３０に形成されたフランジ１３０Ｆの長さを調整することによって、潤滑油の吐出ベクトルと滑走長さの調整を実現することができることを見出した。すなわち、フランジ１３０Ｆを長くすれば、前述のように貫通孔１２０ｈと溝部１１０ｈとの連通部分における曲がり部で発生する乱流を抑制して潤滑油の吐出ベクトルを大きくすることができる。このようなフランジ１３０Ｆの延長は、潤滑油滑走面１１０ｓへの吸引力を強める一方、潤滑油滑走面１１０ｓの開放部分（フランジ１３０Ｆで覆われていない部分）の長さを短くすることができることが見出された。これにより、フランジ１３０Ｆのサイズを調整すれば、潤滑油の供給量やシリンダ（図示せず）のサイズに応じて適切な潤滑油供給経路を実現することができるのである。
【００４８】
このように、ロッカーアーム１００が有する板金ロッカーアーム本体１１０の潤滑油吐出孔１１０ｊおよび潤滑油滑走面１１０ｓは、潤滑油吐出孔１１０ｊおよび潤滑油滑走面１１０ｓ（滑走部分）の方向と長さを調節することによって、摺接面と吐出位置との位置関係と、摺接面近傍における吐出位置の遥動量とを制御することができるという顕著な効果を奏する。
【００４９】
一方、カム４１０の表面と潤滑油の吐出方向のなす角度αを小さくする構成は、ローラ１４０の軸に対するオフセット量Ｓを確保した位置に潤滑油吐出孔１１０ｊや潤滑油滑走面１１０ｓを形成することによって実現される。オフセット量Ｓが小さいと、角度αが大きくなってしまうからである。ただし、オフセット量Ｓを確保するためには、板金ロッカーアーム本体１１０のサイズが図４において上下方向（Ｙ軸方向）に相当する方向に大きくなってしまうという問題がある。
【００５０】
本願発明者は、板金ロッカーアーム本体１１０の上面に潤滑油吐出孔１１０ｊや潤滑油滑走面１１０ｓを形成することによって、このような弊害を低減させることに成功した。このような潤滑油吐出孔１１０ｊや潤滑油滑走面１１０ｓの形成は、支点ボルト１２０に形成された貫通孔１２０ｈと溝部１１０ｈとを介する潤滑油の供給路の構成によって実現したものである。
【００５１】
このような構成の創作は、従来の技術常識に反するものである。従来の技術常識では、板金をプレス加工することによって製造されるロッカーアームは、特に、軽量化を目的として高速回転や高出力を実現するために実現されたものであって、プレス加工によって生成された面によって潤滑油を供給する機構を実現することは想定されていなかったからである。
【００５２】
このような軽量化においては、技術常識として、ロッカーアーム１００への潤滑油の供給を別途に設けられた潤滑油供給系統（たとえばいわゆるシャワー方式、図示せず）を別途設けることが要請されていた。換言すれば、軽量化のトレードオフの対象として、従来は、潤滑油供給系統の装備が必要とされるというのが技術常識であった。さらに、このような潤滑油供給系統は、ロッカーアーム１００の外部から潤滑油を供給することになるため、摺動面に対して効果的に潤滑油を供給することが困難であるという問題も生じさせていたのである。
【００５３】
加えて、板金をプレス加工することによって製造される板金ロッカーアーム本体１１０は、「プレス加工による残留応力」や「切削加工に比して低精度の形状」、「板金が薄いことによる潤滑油供給孔用のルート確保の困難性」といった諸問題を生じさせるため、切削加工による潤滑油供給孔の形成が事実上不可能であるというのが技術常識であった。さらに、板金プレス部品に対して切削加工で潤滑油供給孔を形成すると、その形成のためだけに切削加工工程が必要となって板金プレス加工の利点が減殺されるという問題もあった。
【００５４】
しかし、本願発明の発明者は、板金プレス部品への潤滑油供給孔の形成が困難であることを考慮したうえで、敢えて潤滑油吐出孔を切削加工によって形成するのではなく、板金プレス部品の外面形状（たとえば潤滑油滑走面１１０ｓや溝部１１０ｈ）を利用するという従来の考え方とは、全く相違する新たな技術的思想を創作した。この参考例は、このようにして創作された技術的思想に基づいて構成された発明の一態様である。
【００５５】
このように、本参考例は、板金プレス加工による軽量化や低コストといった利点をほぼ維持しつつ、従来は、鍛造品や鋳造品でのみ可能であった摺動面に対する効果的な潤滑油の供給を実現することを可能としている。
【００５６】
Ｃ．本発明に関連する第２参考例のロッカーアームの構成：
図７および図８は、第２参考例のロッカーアーム１００ａにおける潤滑油の供給経路を示す説明図である。図７は、第２参考例のロッカーアーム１００ａを側面方向から見た断面図である。この図から分かるように、ロッカーアーム１００ａの板金ロッカーアーム本体１１０ａには、溝部が形成されていない点で参考例の潤滑油滑走面１１０ｓと相違する潤滑油滑走面１１０ａｓが形成されている。
【００５７】
一方、第２参考例では、第1参考例の板金ロッカーアーム本体１１０に形成された溝部１１０ｈの代わりに、溝部１３５ｈが形成された潤滑油吐出部材１３５がナット１３０によって第２参考例の板金ロッカーアーム本体１１０ａに締結されている。
【００５８】
図９は、第２参考例のロッカーアーム１００ａにおける潤滑油の供給状態を示す説明図である。潤滑油の流れを示す黒塗りの矢印から分かるように、参考例と同様に効果的に潤滑油を供給することができることがわかる。このように、必ずしも板金ロッカーアーム本体１１０ａの側に溝を設けなくても、板金ロッカーアーム本体１１０ａと溝が形成された部品とを向かい合わせることによって潤滑油供給路を形成するようにしても良い。さらに、双方に溝が形成されていても良い。
【００５９】
Ｄ．本発明に係る第１実施例のロッカーアームの構成：
図１０は、第１実施例のロッカーアーム１００ｂを側面方向から見た断面図である。第１実施例のロッカーアーム１００ｂは、上述の各参考例が板金ロッカーアーム本体１１０、１１０ａの外面を使用する構成で潤滑油を吐出する機能を実現しているのに対して、潤滑油吐出ノズル１６０自体が潤滑油を吐出する機能を実現している点で上述の各参考例と相違する。なお、参考例１と同一の構成に対しては同一の符号を付し、その説明を省略する。
【００６０】
図１１は、第１実施例のロッカーアーム１００ｂが備える潤滑油吐出ノズル１６０の外観を示す斜視図である。潤滑油吐出ノズル１６０は、たとえば潤滑油の吐出方向の精度要求が厳しい場合には切削加工品としての金属部品として製造してもよく、たとえば量産コストや軽量化の要求が厳しい場合には合成樹脂その他の樹脂製品として製造しても良い。
【００６１】
潤滑油吐出ノズル１６０への潤滑油の供給は、本実施例では、支点ボルト１２０ａに形成される孔を支点ボルト１２０の両端に完全に貫通させる貫通孔１２０ａｈとすることによって実現されている。
【００６２】
図１２は、第１実施例のロッカーアーム１００ｂにおける潤滑油の供給経路と潤滑油吐出ノズル１６０の装着状態を示す説明図である。潤滑油吐出ノズル１６０は、つめ部１６０ｃを支点ボルト１２０ａのねじ山に係合させることによって支点ボルト１２０ａに装着されている。このように、潤滑油吐出ノズル１６０を支点ボルト１２０ａに螺合させるのではなく、つめ部１６０ｃで係合させているのは、潤滑油吐出ノズル１６０の吐出方向を適切な方向に向けるための自由度を与えるためである。
【００６３】
このように、第１実施例は、単体で潤滑油を吐出する機能を有する潤滑油吐出ノズル１６０を備え、潤滑油の吐出を板金ロッカーアーム本体１１０側に依存しない点で上述の各参考例と相違する。本願発明者は、このような特徴点を活かして以下のような構成を見出した。
【００６４】
図１３は、第１実施例の第１変形例のロッカーアーム１００ｃを側面方向から見た断面図である。第１変形例のロッカーアーム１００ｃは、潤滑油の吐出経路の提供を想定していない一般的な板金ロッカーアーム本体１１０ｂを使用している点で、第１実施例と相違する。
【００６５】
このように、第１実施例の構成は、潤滑油の吐出経路の提供を想定していない一般的な板金ロッカーアーム本体１１０ｂを使用しても実現可能であり、さらなる軽量化を実現することができる。この構成は、たとえば部品の共通化の要請が厳しい場合に好ましい形態として利用価値が高い。
【００６６】
図１４は、第１実施例の第２変形例の潤滑油吐出ノズル１６０ａを側面方向から見た断面図である。図１５は、第２変形例の潤滑油吐出ノズル１６０ａを上方向から見た正面図である。第２変形例の潤滑油吐出ノズル１６０ａは、板金ロッカーアーム本体１１０、１１０ａ、１１０ｂの外形に係合して潤滑油吐出ノズル１６０ａの吐出方向を位置決めするためのフランジ１６０ａｆを有する点で潤滑油吐出ノズル１６０と相違する。
【００６７】
この構成は、たとえば潤滑油吐出ノズル１６０ａの吐出方向の位置決めを考慮した簡易な組立工程の実現や吐出方向の変動抑止の要請が厳しい場合に好ましい形態として利用価値が高い。
【００６８】
図１６は、第１実施例の第３変形例の潤滑油吐出ノズル１６０ｂを側面方向から見た断面図である。第３変形例の潤滑油吐出ノズル１６０ｂは、ナット１３０ａの外形に係合して潤滑油吐出ノズル１６０ａの吐出方向を位置決めするためのフランジ１６０ｂｎを有する点で潤滑油吐出ノズル１６０ａと相違する。
【００６９】
ただし、ナット１３０ａの外形に係合して潤滑油吐出ノズル１６０ｂの吐出方向を位置決めする場合には、ナット１３０ａのように螺合する構成ではなく、方向を自由に設定できる締結部材とすることが好ましい。
【００７０】
図１７は、第１実施例の第４変形例の潤滑油吐出ノズル１７０を側面方向から見た断面図である。第４変形例の潤滑油吐出ノズル１７０は、支点ボルト１２０ｂに形成された段付貫通孔１２０ｂｈに係合するように構成されている点で潤滑油吐出ノズル１６０、１６０ａ、１６０ｂと相違する。
【００７１】
この構成は、潤滑油の油圧が高くなると係合力が増す性質を有し、かつ、部品の小型化や軽量化が可能という利点を有しているので、たとえば軽量化の要請が厳しい場合に好ましい形態として利用価値が高い。
【００７２】
この構成は、さらに、段付貫通孔１２０ｂｈ側に位置決め用の微小のキー溝（図示せず）を形成し、潤滑油吐出ノズル１７０側に勘合するキー（図示せず）を設けることによって簡易に位置決めをすることもできる。この構成は、キーとキー溝の勘合も潤滑油の油圧が高くなると係合力が増す性質を有するという利点をも有する。
【００７３】
Ｅ．変形例：
以上、本発明のいくつかの実施形態について説明したが、本発明はこのような実施の形態になんら限定されるものではなく、その要旨を逸脱しない範囲内において種々なる態様での実施が可能である。特に、上記実施例における構成要素中の独立請求項に記載された要素以外の要素は、付加的な要素なので適宜省略可能である。
【００７４】
Ｅ−１．第１変形例：上述の参考例および第１実施例では、スイングアーム方式のロッカーアームが例示されているが、スイングアーム方式に限られず、シーソー方式のロッカーアームにも適用することが可能である。シーソー方式のロッカーアームでは、支点と力点の位置関係がスイングアーム方式と入れ替わることになる。
【００７５】
Ｅ−２．第２変形例：上述の第１実施例において、上述の利点や効果の各々の全てが本願発明の必須の構成要件につながるものではなく、本願発明は、上述の利点や効果の各々を簡易に実現させる設計自由度を与えるものであって、少なくとも一つの利点あるいは効果を実現させるものであれば良い。
【００７６】
Ｅ−３．第３変形例：上述の第１実施例では、ロッカーアームに潤滑油吐出口を有する部材を付加という構成が開示されている。しかし、これらの形態に限られず、たとえばナット１３０自体に貫通孔を形成するようにしても良い。ただし、ナット１３０自体に貫通孔を形成する場合には、ナット１３０のように螺合する構成ではなく、方向を自由に設定できる締結部材とすることが好ましい。
【００７７】
Ｅ−４．第４変形例：上述の参考例および第１実施例では、ロッカーアーム本体は、板金プレス加工（塑性加工）によって製造されているが、たとえば鋳造工程と切削加工工程によって製造しても良い。
【符号の説明】
【００７８】
１０...動弁機構
１００、１００ａ、１００ｂ、１００ｃ...ロッカーアーム
１１０、１１０ａ、１１０ｂ...板金ロッカーアーム本体
１１０ｇ...潤滑油誘導面
１１０ｈ...溝部
１１０ｊ...潤滑油吐出孔
１１０ｓ、１１０ａｓ...潤滑油滑走面
１２０、１２０ａ...支点ボルト
１２０ｈ、１２０ａｈ...貫通孔
１２０ｂｈ...段付貫通孔
１３０...ナット
１３０Ｆ...フランジ
１３５...潤滑油吐出部材
１３５ｈ...溝部
１４０...ローラ
１６０、１６０ａ、１６０ｂ、１６０ｃ...潤滑油吐出ノズル
１６０ａｆ...フランジ
１７０...潤滑油吐出ノズル
２１０...支持部材
２１０ｈ１...潤滑油供給孔
２１０ｈ２...潤滑油供給室
２２０...シリンダヘッド
２２０ｈ１...潤滑油分配孔
２２０ｈ２...潤滑油供給孔
３００...バルブ機構
３１０...バルブ
３２０...バルブスプリング
４００...カムシャフト
４１０...カム
４２０...軸部
【図１】
2010281334.tif 000003
【図２】
2010281334.tif 000004
【図３】
2010281334.tif 000005
【図４】
2010281334.tif 000006
【図５】
2010281334.tif 000007
【図６】
2010281334.tif 000008
【図７】
2010281334.tif 000009
【図８】
2010281334.tif 000010
【図９】
2010281334.tif 000011
【図１０】
2010281334.tif 000012
【図１１】
2010281334.tif 000013
【図１２】
2010281334.tif 000014
【図１３】
2010281334.tif 000015
【図１４】
2010281334.tif 000016
【図１５】
2010281334.tif 000017
【図１６】
2010281334.tif 000018
【図１７】
2010281334.tif 000019